(57)【要約】【課題】平板状の商品包装体を多数収納でき、外部から一見して商品を確認でき、上部の開口部より商品包装体を個別に出し入れでき、商品取り出し後も、同様に残りの商品を外部から一見して確認でき、売り場面積を少なくできる商品陳列袋を提供する。【解決手段】ヘッダー部と両側縁にガセットを設けた袋体を有する陳列袋であって、チューブ状薄手フイルムの両側縁に袋体幅の１５〜５０％幅のガセット折りを設けた２重薄手フイルム重合体の袋体の底部に相当する位置を熱融着して袋体底部を形成してなり、該ガセット折り付きの積層体の袋体の開口部に相当する位置で下側薄手フイルムを残して上側薄手フイルムを両側ガセット折りとともに切断して袋体開口部を形成してなり、開口部に沿ってヘッダー部下縁に相当する位置で２重薄手フイルムを融着してヘッダー部下縁を形成してなり、該ヘッダー部２重薄手フイルムの間にヘッダー用厚手シートを挿入してなり、ヘッダー部上縁で２重薄手フイルム重合体を溶断してなる商品陳列袋。【選択図】  図２
2004276929.tif 000002
【特許請求の範囲】
【請求項１】
ヘッダー部と両側縁にガセットを設けた袋体を有する陳列袋であって、チューブ状薄手フイルムの両側縁に袋体幅の１５〜５０％幅のガセット折りを設けた２重薄手フイルム重合体の袋体の底部に相当する位置を熱融着して袋体底部を形成してなり、該ガセット折り付きの積層体の袋体の開口部に相当する位置で下側薄手フイルムを残して上側薄手フイルムを両側ガセット折りとともに切断して袋体開口部を形成してなり、開口部に沿ってヘッダー部下縁に相当する位置で２重薄手フイルムを融着してヘッダー部下縁を形成してなり、該ヘッダー部２重薄手フイルムの間にヘッダー用厚手シートを挿入してなり、ヘッダー部上縁で２重薄手フイルム重合体を溶断してなることを特徴とする商品陳列袋。
【請求項２】
厚手シートよりなる袋体形状安定材を袋体内に収容させてなることを特徴とする請求項１記載の商品陳列袋。
【請求項３】
ヘッダー部と両側縁にガセットを設けた袋体を有する陳列袋であって、チューブ状薄手フイルムの両側縁に袋体幅の１５〜５０％幅のガセット折りを設けた２重薄手フイルム重合体の下側薄手フイルムの中央部に位置するように、該２重薄手フイルム重合体の幅と略同一幅の厚手シートを積層した積層体において、該積層体を袋体の底部に相当する位置で熱融着して袋体底部を形成してなり、該ガセット折り付きの積層体の袋体の開口部に相当する位置で厚手シート及び下側薄手フイルムを残して上側薄手フイルムを両側ガセット折りとともに切断して袋体開口部を形成してなり、開口部に沿ってヘッダー部下縁に相当する位置で２重薄手フイルムを厚手シートとともに融着してヘッダー部下縁を形成してなり、ヘッダー部上縁で２重薄手フイルム重合体を溶断してなることを特徴とする商品陳列袋。
【請求項４】
厚手シートよりなる袋体形状安定材を袋体内に収容させてなることを特徴とする請求項３記載の商品陳列袋。
【発明の詳細な説明】
【０００１】
【発明の属する技術分野】
本発明は、商品陳列袋に関する。さらに詳しくは、サイドガセットを有し、平板状の商品包装体を多数収納することができ、販売店での陳列用に適した商品陳列袋に関する。
【０００２】
【従来の技術】
従来より、商品収納用袋の底部分にガセット折り構造を設けた商品収納袋は知られていた。また、側縁部にガセット折り構造を有する商品収納袋も知られているが、この方式の袋は下端開放形式である（特開平６−６４０７３号公報）。
両側ガセット付き袋の上部に芯材シートを備えたヘッダーを有する袋は底開き形式に限られていたものを袋の上部から商品取り出し可能にする袋が提案されている（特開２００１−３１５７９７号公報）が、この方法では袋体を形成するための表裏フイルムの内、表又は裏若しくは別フイルムによって、開口部を封鎖するための封口片を設置し、一体的に設けた厚手の芯材シートとともにヘッダー部を形成することを要件としている。即ち、ヘッダー部を形成のために厚手の芯材シートと封口片を一体的に設ける工程が不可欠である。
上記の開示された先行技術は、いずれも商品陳列用のものではない。
従来は、平板状の布製品などを入れた商品包装体を陳列する場合には、これまで一見して中の商品を見分けることができ、その中から商品包装体を個別に取り出して購入でき、商品取り出し後も、同様に残りの商品を外部から一見して確認できる商品陳列袋がなかったので、同一商品包装体を多数店頭に陳列する場合には、同一商品包装体をまとめて包装箱に入れたものをそのまま陳列台に置いて展示するか、又は包装箱を解体して商品包装体を取り出したものをバラで展示する方法で行っていた。しかし、これらの陳列方法では、売り場面積を多くとる欠点があった。
【特許文献１】
特開平６−６４０７３号公報
【特許文献２】
特開２００１−３１５７９７号公報
【０００３】
【発明が解決しようとする課題】
本発明は、平板状の商品包装体を多数収納でき、外部から一見して商品を確認でき、上部の開口部より商品包装体を個別に出し入れでき、商品取り出し後も、同様に残りの商品を外部から一見して確認でき、売り場面積を少なくできる商品陳列袋を提供することを目的とする。
【０００４】
【課題を解決するための手段】
本発明者は、店頭陳列時に外部から一見して商品を確認でき、商品の出し入れが自由である商品陳列袋を鋭意研究の結果、透視でき、箱状に拡張できる商品陳列袋を、陳列板等に吊り下げることによって前記課題を解決できることを見出し本発明を完成するに至った。
すなわち本発明は、
（１）ヘッダー部と両側縁にガセットを設けた袋体を有する陳列袋であって、チューブ状薄手フイルムの両側縁に袋体幅の１５〜５０％幅のガセット折りを設けた２重薄手フイルム重合体の袋体の底部に相当する位置を熱融着して袋体底部を形成してなり、該ガセット折り付きの積層体の袋体の開口部に相当する位置で下側薄手フイルムを残して上側薄手フイルムを両側ガセット折りとともに切断して袋体開口部を形成してなり、開口部に沿ってヘッダー部下縁に相当する位置で２重薄手フイルムを融着してヘッダー部下縁を形成してなり、該ヘッダー部２重薄手フイルムの間にヘッダー用厚手シートを挿入してなり、ヘッダー部上縁で２重薄手フイルム重合体を溶断してなることを特徴とする商品陳列袋、
（２）厚手シートよりなる袋体形状安定材を袋体内に収容させてなることを特徴とする第１項記載の商品陳列袋、
（３）ヘッダー部と両側縁にガセットを設けた袋体を有する陳列袋であって、チューブ状薄手フイルムの両側縁に袋体幅の１５〜５０％幅のガセット折りを設けた２重薄手フイルム重合体の下側薄手フイルムの中央部に位置するように、該２重薄手フイルム重合体の幅と略同一幅の厚手シートを積層した積層体において、該積層体を袋体の底部に相当する位置で熱融着して袋体底部を形成してなり、該ガセット折り付きの積層体の袋体の開口部に相当する位置で厚手シート及び下側薄手フイルムを残して上側薄手フイルムを両側ガセット折りとともに切断して袋体開口部を形成してなり、開口部に沿ってヘッダー部下縁に相当する位置で２重薄手フイルムを厚手シートとともに融着してヘッダー部下縁を形成してなり、ヘッダー部上縁で２重薄手フイルム重合体を溶断してなることを特徴とする商品陳列袋、及び
（４）厚手シートよりなる袋体形状安定材を袋体内に収容させてなることを特徴とする第３項記載の商品陳列袋、
を提供するものである。
【０００５】
【発明の実施の形態】
以下に、図面を用いて、本発明商品陳列袋を詳しく説明する。
本発明商品陳列袋Ａは、図１に示すように、ヘッダー部８及び両側縁にガセット３を有する袋体によって形成することができる。本発明商品陳列袋は、両側縁に設けたガセット３によって、空き袋のときには、折り畳んで平面状に縮小でき、商品収納時には両側面を拡大し収容容積を増加することができる。肌着などの布製品、家電機器用フィルターなどを収納した平板状の商品包装体を多数入れて販売店頭に陳列する場合に好適に使用することができる。購入希望客は、展示板に吊り下げた商品陳列袋から、商品包装体を容易に手にとって観察することができ、個別に商品包装体を取り出すことができる。また、商品包装体を収納して搬送する時などには、図２（ｃ）に示すように、ヘッダー部を倒して袋体開口部の蓋にすることができる。ヘッダー部の長さが、ガセット幅の２倍のものであれば、袋体を最大限に拡大したときでも袋体の開口部６を覆うことができる。このとき蓋にしたヘッダー部８先端部と袋体表面上側薄手フイルム１を開口部６付近で粘着テープなどで梱包することができる。この形態で商品を運送すれば、梱包をほどいて、すぐに陳列できるので好都合である。
本発明商品陳列袋Ａに用いるヘッダー部８は、図２（ａ）に示す袋体開口部６の上方において、図２（ｂ）に示すように上側薄手フイルム１、下側薄手フイルム２及びヘッダー部用厚手シート９によつて形成することができる。袋体開口部に沿ってヘッダー部下縁７において、上側薄手フイルムと下側薄手フイルムとを熱融着しヘッダー部下縁７を形成することができる。ヘッダー部上縁１０において、上側薄手フイルムと下側薄手フイルムとを溶断して、ヘッダー部上縁１０を形成することができる。ヘッダー部８は本発明商品陳列袋を保持又は吊り下げるときに、商品包装体Ｂの荷重がかかる部分であって収納商品の荷重に応じて一定以上の強度が必要である。
【０００６】
本発明商品陳列袋の両側縁に用いるガセット折りは、チューブ状薄手フイルムの両側縁を内側にガセット折り目４まで折り込んで断面がＷ字型のガセット３を形成することができる。
本発明商品陳列袋の両側縁に用いるガセット幅（曲げ深さ）は、商品陳列袋のサイズ、収容する商品の容積などによって適宜選択することができる。
本発明商品陳列袋の両側縁に用いるガセット折りは、両側縁のガセット幅（曲げ深さ）が同一幅であり、袋体幅ｆの１５〜５０％、好ましくは２５〜４０％のガセット折りを使用することができる。袋体幅の５０％のガセット折りを使用すると袋体の底面は一辺が袋体の幅の正方形にまで拡大することができる。袋体幅の１５％未満のものは両側ガセット折りを展開したときに商品収納部側縁が狭すぎ商品収納量が少なく、袋体の幅の５０％を超えるものは両側縁のガセットを折り畳んだとき、両側縁のガセットが商品陳列袋の中央で互いに重なり合うことになる。
本発明に用いる薄手フイルムは、薄手の熱可塑性樹脂フイルムを使用することができる。熱融着可能であり、収納商品の荷重に耐える強度と柔軟性を有する熱可塑性樹脂フイルムであれば、公知のものを特に制限なく使用することができる。例えば、高密度、中密度又は低密度ポリエチレン、ポリプロピレン、ポリエチレンプロピレンコポリマー、ポリブチレンなどのポリオレフィン樹脂、ポリ塩化ビニル、ポリ塩化ビニリデンなどのビニル系樹脂、ポリエチレンテレフタレート、ポリブチレンテレフタレートなどのポリエステル樹脂、ナイロンなどのポリアミド系樹脂等を素材とする熱可塑性樹脂フイルム及びこれらのラミネートフイルムを使用することができる。高密度、中密度又は低密度ポリエチレン、ポリプロピレン、ポリエチレンプロピレンコポリマー、ポリブチレンなどのポリオレフィン樹脂、ポリエチレンテレフタレート、ポリブチレンテレフタレートなどのポリエステル樹脂、ナイロンなどのポリアミド系樹脂フイルム等を単独又は共重合若しくは混合した熱可塑性樹脂フイルムを好適に使用することができる。ポリエチレン、ポリプロピレン又はエチレンプロピレンコポリマー製のものを特に好適に使用することができる。
本発明に用いる薄手フイルムは、透明な熱可塑性樹脂フイルムを使用することができる。全光線透過率９０％以上の無色または淡色で透明な熱可塑性樹脂フイルムを特に好適に使用することができる。薄手フイルム、特に袋体の表面を形成する上側薄手フイルムが無色または淡色で透明であることによって、中の商品包装体を取り出す前に袋体の表面薄手フイルムを透して観察することができる。
本発明に用いる薄手フイルムの厚さは、３０〜４００μｍ、好ましくは５０〜１００μｍのものを使用することができる。３０μｍ未満の厚さのフイルムは、薄過ぎて使用中に破損し易い。４００μｍを超える厚さのフイルムは、厚過ぎて製作時の融着が困難である。
【０００７】
本発明の薄手フイルム重合体は、インフレーション成形などによる継ぎ目なしのチューブ状薄手フイルム、又は、薄手フイルムの端縁を溶着したチューブ状薄手フイルムの両側縁にガセット折りを形成し、平面化した２重薄手フイルムを使用することができる。該２重薄手フイルムの上側薄手フイルム１は、本発明商品陳列袋Ａのヘッダー部８及び袋体の表面側、及び、袋体の底部を袋体底部融着部５まで形成するフイルムであり、下側薄手フイルム２は、本発明商品陳列袋Ａのヘッダー部８及び袋体の裏面側、及び、袋体の底部を底部融着部５まで形成するフイルムであり、両側縁のガセット３は、本発明商品陳列袋の両側面を形成するフイルムである。上側薄手フイルム１と下側薄手フイルム２は、袋体の底部で、袋体の幅方向に両側縁間を熱融着によって袋体底部を形成し、上側薄手フイルム１は、上部の開口部６において切り開かれて開口部６を形成し、開口部に沿って上側薄手フイルム１と下側薄手フイルム２は、熱融着によってヘッダー部下縁７を形成し、上縁で上側薄手フイルム１と下側薄手フイルム２は、溶断によってヘッダー部上縁１０を形成することができる。
本発明に用いる袋体の底部及びヘッダー部の熱融着は、本発明の目的を達成できるものであれば、公知の熱融着方法を特に制限なく使用できる。例えば、電熱加熱による金属片などの押圧、電磁誘導加熱、超音波加熱、高周波加熱などの熱融着方法を使用することができる。高周波ウエルダー加熱圧着を特に好適に使用することができる。
本発明に用いる袋体の底部の熱融着の幅は、１〜６ｍｍ、好ましくは２〜５ｍｍにすることができる。１ｍｍ未満では強い力がかかると剥離するおそれがある。６ｍｍを超えるものを使用しても本発明陳列袋の用途に対しては格別熱融着強度を増大させることにはならない。
本発明に用いる開口部位置は、収納する商品に応じて適宜選択して設けることができる。本発明に用いる開口部位置で上側薄手フイルムを両側縁ガセットとともに切断して開口部６を形成することができる。
本発明に用いるヘッダー部８の下縁の位置は、前記開口部６位置での上側薄手フイルム１の切断線に沿って上縁側であって、この位置で、上側及び下側薄手フイルム重合体を、袋体の幅方向に両側縁間を熱融着してヘッダー部下縁７を形成することができる。
【０００８】
本発明に用いる開口部の上部でヘッダー部下縁を形成のための上側薄手フイルムと下側薄手フイルムとの熱融着の幅は、１〜６ｍｍ、好ましくは２〜５ｍｍにすることができる。１ｍｍ未満では強い力がかかると剥離する場合がある。６ｍｍを超えるものを使用しても本発明陳列袋の用途に対しては格別熱融着強度を増大させることにはならない。
本発明はヘッダー部に厚手シートを挿入した第一態様とヘッダー部及び商品収納部に連続した厚手シートを挿入した第二態様との２態様よりなる。
本発明第一態様商品陳列袋Ａは、図１及び図２（ａ）、図２（ｂ）、図２（ｃ）に示すように、ガセット３付きの上側薄手フイルム１と下側薄手フイルム２による重合体を、袋体底部融着部５において融着して袋体底部を形成し、開口部の位置で上側薄手フイルム１を両側縁のガセット３とともに切り開いて開口部６を形成し、ヘッダー部下縁７の位置において融着してヘッダー部下縁７を形成し、ヘッダー部８にヘッダー部用厚手シート９を挿入し、ヘッダー部上縁１０方向に延設したガセット３付きの２重薄手フイルム重合体をヘッダー部上縁１０において溶断して形成することができる。
本発明商品陳列袋Ａの第一態様に用いる上側薄手フイルム１の開口部形成のための開口部６での切断は、下側薄手フイルム２のみを残して上側薄手フイルム１と両側のガセット３を機械的に切断することができる。
本発明第一態様に用いるヘッダー部８には、運搬または陳列のために吊り下げ用の手段を設けることができる。例えば、ヘッダー部８の上側薄手フイルム１、下側薄手フイルム２、ヘッダー部用厚手シート９の積層体を貫通して、１個または２個の孔を設けることができる。この孔を展示板などのフックに吊り下げることができる。また、その孔に吊り下げ用紐１２を通して握持するか、陳列台などに吊り下げることができる。吊り下げたときに収納商品の荷重によって、ヘッダー部８に開けた孔やその近辺でヘッダー部が曲がったり折れたりしない強度が必要である。
【０００９】
本発明第一態様に用いるヘッダー部用厚手シート９は、前記ヘッダー部８に必要な強度以上の強度をもつものであれば、特に制限することなく公知の厚手シートを使用することができる。収納商品の荷重、商品陳列袋の大きさなどに応じて材質及び厚さを適宜選択して使用することができる。例えば、０．１ｍｍ〜３ｍｍの厚さの紙質の厚手シートや樹脂製のシートなどを使用することができる。
熱融着可能である熱可塑性樹脂性厚手シートを好適に使用することができる。
例えば、ポリプロピレン、ポリエチレン、ポリエチレンプロピレン共重合物などのポリオレフィン系、ポリエチレンテレフタレート、ポリカーボネートなどのポリエステル系、ナイロンなどのポリアミド系、又は、ポリスチレン樹脂などの厚手シート、又は、これらの積層厚手シートなどを好適に使用することができる。
本発明第一態様に用いるヘッダー部用厚手シート９は、熱融着又は接着によってヘッダー部内に固定することができ、また、熱融着又は接着することなくヘッダー部内に丁度収まる寸法のものを挿入して使用することができる。
本発明第一態様に用いる厚手シート９の接着剤による固定は、本発明第一態様に用いる熱可塑性樹脂製厚手シートの接着を達成できるものであれば、公知の接着剤を特に制限することなく使用することができる。ホットメルト系接着剤を特に好適に使用することができる。
本発明第一態様の、図２（ｂ）において、商品収納部に厚手シートよりなる袋体形状安定材１３を挿入し使用することができる。例えば図４（ａ）の全体断面図、図４（ｂ）のヘッダー部下縁融着部付近の拡大断面図、及び図４（ｃ）の袋体底部融着部付近の拡大断面図に示すように、厚手シート製袋体形状安定材１３を下側薄手フイルム２に積層するように挿入することができる。又、例えば、図５のような厚手シート製袋体形状安定材１３を図６に示すように、袋体の中に挿入して使用することができる。前記袋体形状安定材１３は、裏面部ｈ、側面部ｅ、及び底面部ｇより形成することができる。裏面部ｈ、側面部ｅ、及び底面部ｇの境界に折り目線を設けて折り曲げやすくするのが形状安定効果が向上するので好ましい。本発明商品陳列袋に商品包装体を収納する際に、前記裏面部ｈ、側面部ｅ、及び底面部ｇを折り曲げて立体型にして袋体の中に厚手シートを挿入するだけで、袋体の形状安定効果を大きく発揮することができる。前面から袋体の中を透視することができ、箱状になり、商品包装体を多数収納しても商品陳列袋Ａは変形することなく展示することができる。前記袋体形状安定材としての効果は、硬度の十分な厚手シートを使用することによって好適に達成することができる。袋体形状安定材としての厚手シートは、熱可塑性樹脂シートも使用可能であるが、この目的のためには、熱融着を必要としないため、硬度の十分な紙質の厚手シートを好適に使用することができる。前記袋体形状安定材１３は、所望により、裏面部ｈのみ、又は、裏面部ｈと側面部ｅによっても形成することができる。
【００１０】
本発明第二態様は、図３（ａ）に示すように、ヘッダー部上縁１０から袋体底部融着部５まで連続した厚手シートを設けたものである。図３（ａ）の全体断面図、図３（ｂ）のヘッダー部下縁融着部付近の拡大断面図、及び図３（ｃ）の袋体底部融着部付近の拡大断面図に示すように、連続した厚手シートを挿入して使用することができる。該厚手シートをガセット折りと下側薄手フイルム２の間に積層した積層体を、上側薄手フイルム１とともに袋体底部融着部５において融着して袋体底部を形成し、開口部６に沿ってヘッダー部下縁７において積層体を融着してヘッダー部下縁を形成する点が第一態様と異なる。
本発明第二態様は、連続した厚手シートを、袋体底部及びヘッダー部下縁において前記積層体として融着することにより強固な袋体を形成することができ、商品包装体を多数収納したときに変形することなく商品陳列袋として好適に使用することができる。
本発明第二態様に使用する連続した厚手シートは、熱融着が必要なので、熱可塑性樹脂性厚手シートを使用する必要がある。本発明第一態様に用いる熱可塑性樹脂性厚手シートを特に制限することなく使用することができる。
本発明第二態様商品収納部に使用する厚手シートは、本発明第一態様と同様に、例えば、図５に示すような、袋体形状安定材１３を立体型に組み立てて袋体の中に、図６に示すように、挿入し使用することができる。
前記本発明第一態様との相異を除き、本発明第二態様は、本発明第一態様と同様にして商品陳列袋を形成することができる。
【００１１】
本発明商品陳列袋の使用態様を説明する。
本発明商品陳列袋は、袋体に商品包装体を一杯充填した場合の袋体全面の高さを長方形のシート状商品包装体の高さと一致させ、同じく充填状態の前面袋体幅が商品包装体の幅と一致するように作製すると好適である。このとき、陳列時に充填する商品包装体の数量に応じて、袋体側面となるガセット折りの寸法を決定することができる。これにより、本発明商品陳列袋に商品包装体を所定の枚数充填すると、ガセット折りが延ばされて、袋体フイルムは寸法一杯に伸長して直方体形状にまで膨張して商品包装体を充填することができる。
本発明商品陳列袋の特徴は、例えば、図２（ｂ）、図３（ａ）、図４（ａ）に示すように、長方形のシート状商品包装体を袋体に充填して、店頭販売用陳列壁などに吊り下げて陳列することにある。このとき、陳列壁の面にヘッダー部及び下側薄手フイルムが密着して吊り下げられ、あたかも箱状の包装箱を壁に掛けた状態で陳列される。この状態であると、シート状商品包装体は、袋体の正面の透明フイルムを通して見えるので、購買者は収納された商品包装体若しくはその内部の商品を陳列袋の外から鮮明に観察することができる。購買者が、前面に見える商品包装体を一枚抜き取ると、その後のシート状商品包装体が次々と前面に現れて陳列される。陳列袋内の商品包装体が少なくなっても、陳列袋の直方体形状は袋体フイルムの立体的構造によってある程度維持されるが、袋体フイルムが薄い場合には、残存商品包装体が減少すると直方体形状は次第に崩れる恐れがある。
【００１２】
本発明第二態様図３（ａ）のように、袋体部の裏面から、袋体部底面の半分にかけて厚手シートを積層させると、底部の半分まで厚手シートが支える構造にすることができる。本発明第二態様では、図３（ａ）に示すように、ヘッダー部から袋体裏面及び底部の半分が一体的に厚手シートで連結されているので、袋体部の形状が第一態様よりも安定する。陳列袋の商品包装体が抜き取られて、残存商品が少なくなった場合でも袋体の直方体形状は、第一態様よりも安定に維持することができる。
さらに、例えば、図５の厚手シート製形状安定材、特に紙製の厚手シートの裏面部、側面部及び底面部を、本発明商品陳列袋の充填時の袋体の高さ、幅、厚さの寸法に一致させて作製し、これを折り曲げ線で折り曲げて袋体に挿入すると、袋体の薄手フイルムは厚手シートの剛性によって、袋体フイルムの寸法一杯に伸長される。このとき、厚手シートは特に接着剤等で固定しなくても、袋体フイルムの張力によって固定されて、長方形の開口部を上方に有する直方体形状がしっかりと固定される。勿論、接着剤等で固定すればさらに形状は安定にすることができる。
このような形状安定材によって、袋体の裏面、側面、底面は、厚手シートによって補強されるとともに、袋体は、商品包装体がない状態でも、開口部が開放した直方体形状の形状を維持することができる。この形状安定効果は、形状安定材の裏面部材、側面部材、底面部材のいずれか一つを採用しても、その数に応じて安定効果を得ることができる。
本発明商品陳列袋の好適な使用形態としては、このような形状安定材を挿入した後に、シート状商品包装体を開口部から充填して、ヘッダー部によって、開口部を図２（ｃ）のように封口して、梱包し、これを小売店に運送後、小売店で、ヘッダー部を開放して、そのまま陳列壁に掛けて陳列することが挙げられる。この場合には、残存商品包装体が一枚になっても、陳列袋の直方体形状は崩れないので、良好な陳列が可能となる。
【００１３】
【発明の効果】
本発明によれば、サイドガセットを有し商品包装体を多数収納でき、運搬が可能であるとともに、外部から一見して商品を確認でき、上部の開口部より陳列用商品包装体を個別に出し入れでき、商品取り出し後も、同様に残りの商品を外部から一見して確認できる店頭陳列用に適した商品陳列袋を提供することができる。
【図面の簡単な説明】
【図１】図１は、商品陳列袋の斜形図である。
【図２】図２（ａ）は、ヘッダー部のみ厚手シート挿入商品陳列袋の正面図である。
図２（ｂ）は、平板状の商品包装体を収納した商品陳列袋の断面図である。
図２（ｃ）は、ヘッダー部を倒して蓋にした商品陳列袋の断面図である。
【図３】図３（ａ）は、ヘッダー部用と袋体部用連続厚手シート挿入商品陳列袋の全体断面図である。
図３（ｂ）は、ヘッダー部下縁融着部付近の拡大断面図である。
図３（ｃ）は、袋体底部融着部付近の拡大断面図である。
【図４】図４（ａ）は、ヘッダー部用と商品収納部に分離して厚手シートを挿入した商品陳列袋の全体断面図である。
図４（ｂ）は、ヘッダー部下縁融着部付近の拡大断面図である。
図４（ｃ）は、袋体底部融着部付近の拡大断面図である。
【図５】図５は、商品収納部用折り曲げ部分付き袋体形状安定材の展開図である。
【図６】図６は、商品収納部に折り曲げ部分付き袋体形状安定材挿入商品陳列袋の断面図である。
【符号の説明】
Ａ  商品陳列袋
Ｂ  商品包装体
ｅ  厚手シート折り曲げ側面部
ｆ  袋体幅
ｇ  厚手シート折り曲げ底面部
ｈ  厚手シート折り曲げ裏面部
１  上側薄手フイルム
２  下側薄手フイルム
３  ガセット
４  ガセット折り目
５  袋体底部融着部
６  開口部
７  ヘッダー部下縁
８  ヘッダー部
９  ヘッダー部用厚手シート
１０  ヘッダー部上縁
１１  商品収納部用厚手シート
１２  吊り下げ用紐
１３  袋体形状安定材
【図１】
2004276929.tif 000003
【図２】
2004276929.tif 000004
【図３】
2004276929.tif 000005
【図４】
2004276929.tif 000006
【図５】
2004276929.tif 000007
【図６】
2004276929.tif 000008